(57)【要約】【課題】減衰回路によらずに音量出力を適正に調整可能な音量制御手段をそなえる音声出力装置を提供する。【解決手段】ジャックに一体に設けられるジャック出力素子と、音声信号源とスピーカとジャック出力素子とに電気的に接続され、音声信号源からの音声信号を異なる増幅率で増幅出力する増幅回路と、ジャック出力素子に電気的に接続され、プラグをジャックに挿着／離脱した状態をそれぞれ示す信号を出力する変換回路と、増幅回路と変換回路とに電気的に接続され、変換回路より出力する信号に基づき、異なる増幅率で音声信号を増幅させるよう増幅回路を制御する制御回路と、を設ける。【選択図】図３
0003109688.tif 000002
【実用新案登録請求の範囲】
【請求項１】
音声信号を発生する音声信号源からの音声信号が、音量制御手段を介してスピーカ又はヘッドフォンなどのヘッドフォンプラグが挿入されるヘッドフォンジャックに出力される音声出力装置において、
該音量制御手段は、
前記ジャックに一体に設けられるジャック出力素子と、
前記音声信号源と前記スピーカと前記ジャック出力素子とに電気的に接続され、前記音声信号源からの音声信号を異なる増幅率で増幅出力する増幅回路と、
前記ジャック出力素子に電気的に接続され、前記プラグを前記ジャックに挿着／離脱した状態をそれぞれ示す信号を出力する変換回路と、
前記増幅回路と前記変換回路とに電気的に接続され、前記変換回路より出力する信号に基づき、異なる増幅率で前記音声信号を増幅させるよう前記増幅回路を制御する制御回路と、を設けることを特徴とする音量制御手段をそなえた音声出力装置。
【請求項２】
前記ジャック出力素子は、その一端が前記増幅回路に電気的に接続する第１の接触端子と、その一端が接地する第２の接触端子を設け、
前記変換回路は、前記ヘッドフォンジャックに一体に形成されており、その一端部が電圧源に電気的に接続される抵抗素子と、その一端部が前記制御回路及び前記抵抗素子の他端部に、他端部が前記第２の接触端子に一時接触可能に電気的に接続する第３の接触端子とから構成されていることを特徴とする請求項１に記載の装置。
【請求項３】
前記第１と第２の接触端子には、少なくとも前記第２の接触端子が弾性を有する材料によりつくることを特徴とする請求項２に記載の装置。
【請求項４】
前記異なる増幅率は、第１と第２の増幅率を有し、
前記第２の増幅率は予め、前記第２の増幅率による出力が、前記第１の増幅率による出力より４０％以下であるように設定されていることを特徴とする請求項１に記載の装置。
【請求項５】
前記増幅回路、前記変換回路、前記制御回路及び前記ジャック出力素子を、ハウジング内に格納して音量制御モジュールとして構成し、
前記ジャックは、前記音量制御モジュールのハウジングに一体に設けられることを特徴とする請求項１ないし４のいずれかの項に記載の装置。
【考案の詳細な説明】
【技術分野】
【０００１】
本考案は、音声出力装置に関し、より詳細には、ヘッドフォン等から出力される音声を音量制御手段によって調節し、耳にかける負担を軽減する音声出力装置に関するものである。
【背景技術】
【０００２】
従来のＣＤ／カセットプレーヤ、テレビジョン、ポータブルラジオカセットプレーヤ、ノートブック型コンピュータ又は液晶表示装置などの電子機器にそなえられた音声出力装置は、通常内蔵スピーカ或いは外部スピーカによって音声信号を出力する。また、他人に迷惑をかけないために、内蔵スピーカに接続端子を介してヘッドフォンやイヤフォン（以下、ヘッドフォン等と称する）が接続されることによって音声が出力されることもある。ところで、内蔵スピーカへ出力している音声信号をそのままヘッドフォン等へ出力すると、音が大きすぎ耳に負担がかかる不具合があるので、ヘッドフォン等へ出力される前に、音量を下げるなどの処理をしなければならない。
【０００３】
図３は、従来の音声出力装置に組まれた音量制御手段の構成例を概略示す。図示の如く、従来の音量制御手段１は、音量制御ユニット１１と、該音量制御ユニット１１と電気的に接続されるアンプ１２と、該アンプ１２と電気的に接続され、アンプ１２によって増幅された音声信号の出力を適当に減衰させる減衰回路１４とからなり、前記音声出力装置のスピーカ１０は、アンプ１２と電気的に直接接続され、外部のヘッドフォン１３は、図示しないイヤホンジャックなどの接続端子を介して減衰回路１４と着脱可能に電気的に接続される構成となっている。音量制御手段１は、ヘッドフォン１３が電気的に接続されていない場合に、音声信号１０１を音量制御ユニット１１からアンプ１２へ入力増幅させ、スピーカ１０に出力される。音量制御手段１は、ヘッドフォン１３が電気的に接続された場合には、音声信号１０１は音量制御ユニット１１に一旦入力されて音量が調整されてから、アンプ１２に入力増幅され、減衰回路１４によって減衰された後、ヘッドフォン１３側に出力される。
【０００４】
上記構成によれば、音声が出力されている最中に、ヘッドフォン１３が接続されると、アンプ１２に増幅され且つスピーカ１０に出力される音声信号は、減衰回路１４によって適当に減衰されることができるので、ヘッドフォン１３への出力が耳にかける負担を抑制することができる。
【考案の開示】
【考案が解決しようとする課題】
【０００５】
しかしながら、減衰回路１４は、ヘッドフォン１３に出力された音の音量を抑制することができるが、設計の不手際などによりよく機能を働かせ過ぎて、ヘッドフォン１３への出力を過小にしてしまうことが起き、改めて音量を上げなければならなくなる。また、減衰回路１４は、故障などにより減衰機能がなくなると、スピーカ１０への音声出力がそのままヘッドフォン１３に出力されてしまい、場合によっては鼓膜の損傷などを引き起こしかねないという問題もある。
【０００６】
したがって、本考案は、従来の問題点に鑑みてなされたもので、減衰回路によらずに音量出力を適正に調整可能な音量制御手段をそなえる音声出力装置を提供することを目的とする。
【課題を解決するための手段】
【０００７】
上記目的は、音声信号を発生する音声信号源からの音声信号が、音量制御手段を介してスピーカ又はヘッドフォンなどのヘッドフォンプラグが挿入されるヘッドフォンジャックに出力される音声出力装置において、該音量制御手段は、前記ジャックに一体に設けられるジャック出力素子と、前記音声信号源と前記スピーカと前記ジャック出力素子に電気的に接続され、前記音声信号源からの音声信号を異なる増幅率で増幅し出力する増幅回路と、前記ジャック出力素子に電気的に接続され、前記プラグを前記ジャックに挿着／離脱する状態をそれぞれ示す信号を出力する変換回路と、前記増幅回路と前記変換回路とに電気的に接続され、前記変換回路より出力した信号に基づき異なる増幅率で前記音声信号を増幅させるよう前記増幅回路を制御する制御回路と、を設けていることによって達成することができる。
【考案の効果】
【０００８】
本考案によれば、前記変換回路から前記制御回路へ前記挿着／離脱状態を示す信号が出力され、前記制御回路は送達してきた信号に基づき前記増幅回路を、前記増幅回路に異なる増幅率で前記音声信号を増幅出力させるように制御し、例えば前記プラグを前記ジャックに挿入していないときは、前記増幅回路は例えば第１の増幅率で前記音声信号を増幅しスピーカ出力として前記スピーカへ出力し、前記プラグを前記ジャックに挿入したときは、前記スピーカ出力をカットすると共に、例えば第１の増幅率より小さい第２の増幅率で前記音声信号を増幅しジャック出力として前記ジャックへ出力することにより、従来の音量制御手段みたいな減衰回路によらなくても、前記ヘッドフォンプラグが前記ジャックに挿入されて前記ヘッドフォンに突然大音量が出力され、耳に大きな負担をかけることを避けることができる。
【考案を実施するための最良の形態】
【０００９】
本考案の他の特徴及び利点は、添付図面を参照しながら、以下の好適な実施例の詳細な説明により明らかとなる。
【００１０】
図１、２は、本考案の音声出力装置の実施例の構成を示す。図１に示す音声出力装置２は、音声信号を発生する音声信号源３からの音声信号３０１が、音量制御手段４を介して出力３０２、３０３としてそれぞれ内蔵スピーカ２２、またはヘッドフォン５などのヘッドフォンプラグ（図示せず）が挿入されるヘッドフォンジャック２１に出力されてなる。該音声出力装置２の音量制御手段４は、音声信号源３からの音声信号３０１を処理して出力３０２、３０３としてスピーカ２２またはジャック２１へ発信するものであり、増幅回路４１と、変換回路４２と、制御回路４３と、ジャック出力素子４５とから構成されている。
【００１１】
ジャック出力素子４５は、増幅回路４１に電気的に接触する第１の接触端子４５１と、その一端部が接地する第２の接触端子４５２を、ジャック２１に一体に設ける。本例においては、前記第１と第２の接触端子４５１、４５２は、好ましくは少なくとも前記第２の接触端子４５２が弾性を有するよう銅合金ばね材によりつくるようにすることができる。
【００１２】
増幅回路４１は、異なる増幅率例えば第１の増幅率で音声信号３０１が増幅され例えばスピーカ出力３０２としてスピーカ２２へ、前記第１の増幅率より小の第２の増幅率で増幅されジャック出力３０３としてジャック２１へ送られる。本例においては、前記第１、２の増幅率を予め設定するものであるが、前記第２の増幅率としては、好ましくは前記第２の増幅率による出力が、前記第１の増幅率による出力より４０％以下であるように設定される。
【００１３】
変換回路４２は、ヘッドフォンジャック２１と一体に形成されており、その一端部が電圧源Ｖｃｃに電気的に接続される抵抗素子４２１と、その一端部が制御回路４３及び抵抗素子４２１の他端部に、他端部が前記第２の接触端子４５２に一時接触可能に電気的に接続する第３の接触端子４２２とから構成されている。
【００１４】
制御回路４３は、増幅回路４１と変換回路４２の一端部とに電気的に接続され、送達してくる変換回路４２の前記第３の接触端子４２２がジャック出力素子４５の第２の接触端子４５２との接触した／しない状態に基づき、増幅回路４１に前記第１の増幅率又は第２の増幅率で前記音声信号を増幅させるよう制御する。
【００１５】
次に、以上のように構成された本考案の音声出力装置の音量制御動作について説明を行う。
【００１６】
ジャック２１に前記プラグを挿入しないときは、図１に示されているように、変換回路４２の第３の接触端子４２２が前記第２の接触端子４５２と接触した閉路状態となり電気的に接続され、前記第３の接触端子４２２の一端部の電位は、前記第２の接触端子４５２の接地端部の電位（低電位）になり、同接地電位を制御回路４３へ印加する。制御回路４３は、前記接地電位により、前記第１の増幅率で音声信号３０１を増幅させるよう増幅回路４１を制御する。こうして、増幅回路４１は、前記第１の増幅率で音声信号３０１を増幅してスピーカ出力３０２としてスピーカ２２へ送る。
【００１７】
ジャック２１に前記プラグを挿入したときは、図２に示されているように、前記プラグが前記第１、２の接触端子４５１、４５２の間に挿入され、前記第１、２の接触端子４５１、４５２によって挟持され、前記第２の接触端子４５２が図の下側（矢印方向）へ移動する。これに伴い、前記第３の接触端子４２２と前記第２の接触端子４５２は接触しない開路状態となり、前記第３の接触端子４２２の一端部はＶｃｃの高電位となり、その高電位を制御回路４３へ印加する。制御回路４３は、前記高電位に基づき、増幅回路４１の第１の増幅率によるスピーカ出力３０２を遮断すると共に、増幅回路４１に前記第１の増幅率より小の前記第２の増幅率で音声信号３０１を増幅させるよう増幅回路４１を制御する。こうして、増幅回路４１は、前記第２の増幅率で音声信号３０１を増幅してジャック出力３０３としてジャック２１へ送ることになる。
【００１８】
なお、増幅回路４１、変換回路４２、制御回路４３及びジャック出力素子４５を、ハウジング内に格納して音量制御モジュールとして構成することができ、ジャック２１は、前記音量制御モジュールのハウジングに一体に設けられる。
【００１９】
以上説明した構成によれば、図示しないプラグをジャック２１に挿入したときは、前記第２の接触端子４５２が前記第３の接触端子４２２とは接触しない開路状態となり、制御回路４３に高電位を印加し、制御回路４１により増幅回路４１に予め決めた前記第１の増幅率より小さい前記第２の増幅率によって音声信号３０１を増幅させ、スピーカ出力３０２より低いジャック出力３０３として出力することにより、従来の音量制御手段みたいな減衰回路によらなくても、前記ヘッドフォンに突然大音量が出力され、耳に大きな負担をかけることを避けることができる。
【産業上の利用可能性】
【００２０】
本考案によれば、従来の音量制御手段みたいな減衰回路によらなくても、前記ヘッドフォンに突然大音量が出力されて耳に大きな負担をかける問題を防止することができると共に、慌てて音量調整をすることを要しない音量制御手段をそなえた音声出力装置を提供することができる。
【図面の簡単な説明】
【００２１】
【図１】本考案の一実施例の音声出力装置の構成を示す。
【図２】本考案の一実施例の音声出力装置の構成を示す。
【図３】従来の音声出力装置の構成を示す。
【符号の説明】
【００２２】
２      音声出力装置
２１    ジャック
２２    スピーカ
３      音声信号源
３０１  音声信号
３０２  スピーカ出力
３０３  ジャック出力
４      音量制御手段
４１    増幅回路
４２    変換回路
４２１  抵抗素子
４２２  第３の接触端子
４３    制御回路
４５    ジャック出力素子
４５１  第１の接触端子
４５２  第２の接触端子
５      ヘッドフォン
【図１】
0003109688.tif 000003
【図２】
0003109688.tif 000004
【図３】
0003109688.tif 000005